【手続補正書】
【提出日】平成17年7月27日(2005.7.27)
【手続補正１】
【補正対象書類名】明細書
【補正対象項目名】発明の名称
【補正方法】変更
【補正の内容】
【発明の名称】信号再生装置、信号記録装置、符号列生成方法、並びに信号重畳符号化方法及び装置
【手続補正２】
【補正対象書類名】明細書
【補正対象項目名】特許請求の範囲
【補正方法】変更
【補正の内容】
【特許請求の範囲】
【請求項１】
原信号がフレーム単位で符号化されて得られる符号列を再生する信号再生装置において、
第１のフレーム部分と、上記原信号に他の信号が合成された信号を符号化した符号列から成る第２のフレーム部分とを有する符号列を入力する符号列入力手段と、
上記第２のフレーム部分を上記原信号の対応するフレーム部分を符号化した符号列で置き換える符号列書き換え手段と、
上記第１のフレーム部分と上記置き換え手段により置き換えられた符号列又は上記第２のフレーム部分とを復号する復号手段と
を有することを特徴とする信号再生装置。
【請求項２】
原信号がフレーム単位で符号化されて得られる符号列を記録する信号記録装置において、
第１のフレーム部分と、上記原信号に他の信号が合成された信号を符号化した符号列から成る第２のフレーム部分とを有する符号列を入力する符号列入力手段と、
上記第２のフレーム部分を上記原信号の対応するフレーム部分を符号化した符号列で置き換える符号列書き換え手段と
を有することを特徴とする信号記録装置。
【請求項３】
原信号がフレーム単位で符号化されて得られる符号列を生成する符号列生成方法において、
第１のフレーム部分と、上記原信号に他の信号が合成された信号を符号化した符号列から成る第２のフレーム部分とを有する符号列を生成する符号列生成工程
を有することを特徴とする符号列生成方法。
【請求項４】
上記第１のフレーム部分は、上記原信号の符号列の一部がダミーデータとされた第１の符号列から成り、
上記符号列生成工程は、
上記原信号を符号化することにより所定フォーマットの符号列を生成する符号化工程と、
上記所定フォーマットの符号列の一部をダミーデータに書き換えて第１の符号列を生成する第１の符号列生成工程と、
上記第１の符号列の少なくとも一部を補完するための第２の符号列を生成する第２の符号列生成工程とを有する
ことを特徴とする請求項３記載の符号列生成方法。
【請求項５】
上記他の信号はメッセージ信号であることを特徴とする請求項３記載の符号列生成方法。
【請求項６】
上記第２のフレーム部分は、所定の間隔毎に与えられることを特徴とする請求項３記載の符号列生成方法。
【請求項７】
上記符号化においては、入力信号をスペクトル変換し、帯域分割して、各帯域毎の量子化精度情報、正規化係数情報、及びスペクトル係数情報を含む所定フォーマットの符号列を生成し、
上記ダミーデータは、上記スペクトル係数情報の一部に対応するものを含む
ことを特徴とする請求項４記載の符号列生成方法。
【請求項８】
上記第２のフレーム部分では、上記原信号に対する第１の合成係数Ｒ１と、上記他の信号に対する第２の合成係数Ｒ２とについて、
｜Ｒ１｜＜｜Ｒ２｜
の関係を満足することを特徴とする請求項３記載の符号列生成方法。
【請求項９】
上記第２のフレーム部分の少なくとも一部では、上記第１のフレーム部分との境界位置での上記第２の合成係数Ｒ２が０近傍の値となるように連続的に変化する係数値をとることを特徴とする請求項８記載の符号列生成方法。
【請求項１０】
上記第１の合成係数Ｒ１と、上記第２の合成係数Ｒ２とについて、共に０以上の値とし、
Ｒ１＋Ｒ２＝１
の関係を満足することを特徴とする請求項８記載の符号列生成方法。
【請求項１１】
第１の信号の少なくとも一部分に対してメッセージ信号を重畳し、重畳された信号を符号化する信号重畳符号化方法において、
上記第１の信号にメッセージ信号を重畳する部分の少なくとも一部では、上記第１の信号に対する第１の合成係数Ｒ１と、上記メッセージ信号に対する第２の合成係数Ｒ２について、
｜Ｒ１｜＜｜Ｒ２｜
の関係を満足すること
を特徴とする信号重畳符号化方法。
【請求項１２】
上記第１の信号にメッセージ信号を重畳する部分では、上記第１の信号のみの部分との境界位置での上記第２の合成係数Ｒ２が０近傍の値となるように連続的に変化する係数値をとることを特徴とする請求項１１記載の信号重畳符号化方法。
【請求項１３】
上記第１の信号に対する第１の合成係数Ｒ１と、上記メッセージ信号に対する第２の合成係数Ｒ２とについて、共に０以上の値とし、
Ｒ１＋Ｒ２＝１
の関係を満足することを特徴とする請求項１１記載の信号重畳符号化方法。
【請求項１４】
第１の信号及びメッセージ信号とが入力され、上記第１の信号の少なくとも一部分に対してメッセージ信号を重畳する信号合成手段と、
上記第１の信号に対する第１の合成係数Ｒ１と、上記メッセージ信号に対する第２の合成係数Ｒ２との少なくとも一方を記憶する係数記憶手段又は係数発生手段と、
上記係数記憶手段又は係数発生手段からの合成係数に基づいて上記信号合成手段による上記第１の信号とメッセージ信号との合成を制御する制御手段と、
上記信号合成手段からの出力信号を符号化する符号化手段とを有し、
上記制御手段は、上記第１の信号にメッセージ信号を重畳する部分の少なくとも一部で、上記第第１の合成係数Ｒ１と、上記第２の合成係数Ｒ２とについて、
｜Ｒ１｜＜｜Ｒ２｜
の関係を満足するように信号合成を制御すること
を特徴とする信号重畳符号化装置。
【手続補正３】
【補正対象書類名】明細書
【補正対象項目名】０００１
【補正方法】変更
【補正の内容】
【０００１】
【発明の属する技術分野】
本発明は、信号再生装置、信号記録装置、符号列生成方法、並びに信号重畳符号化方法及び装置に関するものであり、例えば、試し視聴が可能なように信号を符号化するとともに、その結果、試し視聴者が購入を決めれば、少ない情報量のデータを追加して高品質での再生や記録を可能にするような信号再生装置、信号記録装置、符号列生成方法、並びに信号重畳符号化方法及び装置に関するものである。
【手続補正４】
【補正対象書類名】明細書
【補正対象項目名】００２７
【補正方法】変更
【補正の内容】
【００２７】
本発明は、上述のような実情に鑑みて提案されたものであって、試し視聴が可能でありながら、比較的少量の追加データを入手するだけで高品質の信号再生が行え、さらに、試し視聴が可能な低品質のデータであっても、それのみでユーザが満足することを防止し得るような信号再生装置、信号記録装置、符号列生成方法、並びに信号重畳符号化方法及び装置を提供することを目的とする。
【手続補正５】
【補正対象書類名】明細書
【補正対象項目名】００３０
【補正方法】変更
【補正の内容】
【００３０】
すなわち、本発明に係る信号再生装置は、原信号がフレーム単位で符号化されて得られる符号列を再生する際に、第１のフレーム部分と、上記原信号に他の信号が合成された信号を符号化した符号列から成る第２のフレーム部分とを有する符号列を入力し、上記第２のフレーム部分を上記原信号の対応するフレーム部分を符号化した符号列で置き換え、上記第１のフレーム部分と、上記置き換えられた符号列又は上記第２のフレーム部分とを復号することを特徴とする。
【手続補正６】
【補正対象書類名】明細書
【補正対象項目名】００３１
【補正方法】変更
【補正の内容】
【００３１】
ここで、本発明に係る信号再生装置としては、原信号がフレーム単位で符号化されて得られる符号列を再生する際に、上記符号列の一部がダミーデータとされた符号列から成る第１のフレーム部分と、上記原信号に他の信号が合成された信号を符号化した符号列から成る第２のフレーム部分とを有する第１の符号列を入力し、上記第２のフレーム部分を上記原信号の対応するフレーム部分を符号化した符号列で置き換え、上記第１の符号列の少なくとも一部を第２の符号列を用いて補完し、上記置き換えられた符号列、上記補完された符号列又は上記第１の符号列を復号することが挙げられる。
【手続補正７】
【補正対象書類名】明細書
【補正対象項目名】００３２
【補正方法】変更
【補正の内容】
【００３２】
また、本発明に係る信号記録装置は、原信号がフレーム単位で符号化されて得られる符号列を記録する際に、第１のフレーム部分と、上記原信号に他の信号が合成された信号を符号化した符号列から成る第２のフレーム部分とを有する符号列を入力し、上記第２のフレーム部分を上記原信号の対応するフレーム部分を符号化した符号列で置き換えることを特徴とする。
【手続補正８】
【補正対象書類名】明細書
【補正対象項目名】００３４
【補正方法】削除
【補正の内容】
【手続補正９】
【補正対象書類名】明細書
【補正対象項目名】００３８
【補正方法】削除
【補正の内容】